【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
無線通信ネットワーク内で通信する方法であって、
ユーザ機器（ＵＥ）において、複数のモバイルランドマークデバイスの各々から基準信号を備えるブロードキャストを受信することと、
前記複数のモバイルランドマークデバイスの各々からの位置情報を識別することと、
複数の受信された基準信号および前記複数の位置情報に少なくとも部分的に基づいて前記ＵＥの位置を決定することと、
を備える、方法。
【請求項２】
前記複数の受信された基準信号のうちの少なくとも２つに関する到着時間を測定すること
をさらに備える、請求項１に記載の方法。
【請求項３】
前記ＵＥの前記位置を決定することは、
前記少なくとも２つの測定された到着時間に基づいて到着時間差を計算することと、
前記計算された到着時間差および前記複数の位置情報に少なくとも部分的に基づいて前記ＵＥの前記位置を決定することと、
を備える、請求項２に記載の方法。
【請求項４】
前記ＵＥの前記位置を決定することは、前記複数のモバイルランドマークデバイスの各々に関して前記少なくとも２つの測定された到着時間および前記識別された位置情報に少なくとも部分的に基づいて多辺測量を行うことを備える、請求項２に記載の方法。
【請求項５】
前記ＵＥの前記決定された位置に少なくとも部分的に基づいて位置に関連するアウトバウンド基準信号および情報をブロードキャストすること
をさらに備える、請求項１に記載の方法。
【請求項６】
前記ブロードキャストすることは、エアインタフェースを通じて生じる、請求項５に記載の方法。
【請求項７】
前記受信された複数の基準信号または前記複数の識別された位置情報に少なくとも部分的に基づいて内部クロックを同期化すること
をさらに備える、請求項１に記載の方法。
【請求項８】
前記複数のモバイルランドマークデバイスのうちの少なくとも１つは、動作モードにある、請求項１に記載の方法。
【請求項９】
前記複数のモバイルランドマークデバイスのうちの少なくとも１つは、動作のための電力を供給するためのバッテリを備える、請求項１に記載の方法。
【請求項１０】
前記複数のモバイルランドマークデバイスのうちの少なくとも１つは、エアインタフェースに取り付けられる、請求項１に記載の方法。
【請求項１１】
前記ＵＥの前記決定された位置は、絶対位置である、請求項１に記載の方法。
【請求項１２】
前記複数の受信された基準信号の各々は、送信時間を備える、請求項１に記載の方法。
【請求項１３】
無線通信のためのシステムであって、
ユーザ機器（ＵＥ）において、複数のモバイルランドマークデバイスの各々から基準信号を備えるブロードキャストを受信するための手段と、
前記複数のモバイルランドマークデバイスの各々からの位置情報を識別するための手段と、
前記複数の受信された基準信号および前記複数の位置情報に少なくとも部分的に基づいて前記ＵＥの位置を決定するための手段と、
を備える、システム。
【請求項１４】
前記複数の受信された基準信号のうちの少なくとも２つに関する到着時間を測定するための手段
をさらに備える、請求項１３に記載のシステム。
【請求項１５】
前記ＵＥの前記位置を決定するための前記手段は、
前記少なくとも２つの測定された到着時間に基づいて到着時間差を計算するための手段と、
前記計算された到着時間差および前記複数の位置情報に少なくとも部分的に基づいて前記ＵＥの前記位置を決定するための手段と、
を備える、請求項１４に記載のシステム。
【請求項１６】
前記ＵＥの前記位置を決定するための前記手段は、前記複数のモバイルランドマークデバイスの各々に関して前記少なくとも２つの測定された到着時間および前記識別された位置情報に少なくとも部分的に基づいて多辺測量を行うための手段を備える、請求項１４に記載のシステム。
【請求項１７】
前記ＵＥの前記決定された位置に少なくとも部分的に基づいて位置に関連するアウトバウンド基準信号および情報をブロードキャストするための手段
をさらに備える、請求項１３に記載のシステム。
【請求項１８】
前記受信された複数の基準信号または前記複数の識別された位置情報に少なくとも部分的に基づいて内部クロックを同期化するための手段
をさらに備える、請求項１３に記載のシステム。
【請求項１９】
前記複数のモバイルランドマークデバイスのうちの少なくとも１つは、動作モードにある、請求項１３に記載のシステム。
【請求項２０】
前記ＵＥの前記決定された位置は、絶対位置である、請求項１３に記載のシステム。
【請求項２１】
前記複数の受信された基準信号の各々は、送信時間を備える、請求項１３に記載のシステム。
【請求項２２】
無線通信のための装置であって、
プロセッサと、
前記プロセッサと電子的通信状態にあるメモリと、
前記メモリに格納された命令と、
を備え、前記命令は、
ユーザ機器（ＵＥ）において、複数のモバイルランドマークデバイスの各々から基準信号を備えるブロードキャストを受信し、
前記複数のモバイルランドマークデバイスの各々からの位置情報を識別し、および
前記複数の受信された基準信号および前記複数の位置情報に少なくとも部分的に基づいて前記ＵＥの位置を決定する
ために前記プロセッサによって実行可能である、装置。
【請求項２３】
前記命令は、
前記複数の受信された基準信号のうちの少なくとも２つに関する到着時間を測定する
ために前記プロセッサによって実行可能である、請求項２２に記載の装置。
【請求項２４】
前記ＵＥの前記位置を決定するための前記命令は、
前記少なくとも２つの測定された到着時間に基づいて到着時間差を計算し、および
前記計算された到着時間差および前記複数の位置情報に少なくとも部分的に基づいて前記ＵＥの前記位置を決定する
ために前記プロセッサによって実行可能である、請求項２３に記載の装置。
【請求項２５】
前記命令は、
前記ＵＥの前記決定された位置に少なくとも部分的に基づいて位置に関連するアウトバウンド基準信号および情報をブロードキャストする
ために前記プロセッサによって実行可能である、請求項２２に記載の装置。
【請求項２６】
前記命令は、
前記受信された複数の基準信号または前記複数の識別された位置情報に少なくとも部分的に基づいて内部クロックを同期化する
ために前記プロセッサによって実行可能である、請求項２２に記載の装置。
【請求項２７】
無線通信のためのコンピュータプログラム製品であって、前記コンピュータプログラム製品は、非一時的なコンピュータ読み取り可能媒体を備え、前記非一時的なコンピュータ読み取り可能媒体は、命令を記憶し、前記命令は、
ユーザ機器（ＵＥ）において、複数のモバイルランドマークデバイスの各々から基準信号を備えるブロードキャストを受信し、
前記複数のモバイルランドマークデバイスの各々からの位置情報を識別し、および
前記複数の受信された基準信号および前記複数の位置情報に少なくとも部分的に基づいて前記ＵＥの位置を決定する
ためにプロセッサによって実行可能である、コンピュータプログラム製品。
【請求項２８】
前記ＵＥの前記位置を決定するための前記命令は、
前記複数の受信された基準信号のうちの少なくとも２つに関する到着時間を測定し、
前記少なくとも２つの測定された到着時間に基づいて到着時間差を計算し、および、
前記計算された到着時間差および前記複数の位置情報に少なくとも部分的に基づいて前記ＵＥの前記位置を決定する
ために前記プロセッサによって実行可能である、請求項２７に記載のコンピュータプログラム製品。
【請求項２９】
前記命令は、
前記ＵＥの前記決定された位置に少なくとも部分的に基づいて位置に関連するアウトバウンド基準信号および情報をブロードキャストする
ために前記プロセッサによって実行可能である、請求項２７に記載のコンピュータプログラム製品。
【請求項３０】
前記命令は、
前記受信された複数の基準信号または前記複数の識別された位置情報に少なくとも部分的に基づいて内部クロックを同期化する
ために前記プロセッサによって実行可能である、請求項２７に記載のコンピュータプログラム製品。